(57)【要約】【課題】水ヘッドの出水時間と出水量を制御することができ、水の効果を達成することができる接触制御式給水装置を提供する。【解決手段】主に中空管体である制御バルブを含む、該制御バルブは水源管路を給水ヘッドに接続可能で、制御バルブ中にはバルブ孔を設置する。該バルブ孔中には連動棒により連動されるバルブ球を設置し、これによりバルブ孔は開放或いは閉鎖される。連動棒一端は連接棒と接触制御組部品により連接され、該連接棒の反対端は被動棒により復位組部品を連接され、復位組部品の回復力を調整することにより、動棒の位置回復の時間を調整する。【選択図】図1
0003123669.tif 000002
【実用新案登録請求の範囲】
【請求項１】
主に給水装置中には制御バルブを設置し、該制御バルブは中空管体で、一端には入水口を設置し、反対端には出水口を設置し、これにより該制御バルブは水源管路を給水ヘッドに接続可能で、また該制御バルブ中にはバルブ孔を設置し、該バルブ孔中には該バルブ孔を開放或いは閉鎖可能なバルブ球を設置し、該バルブ球は連動棒により連動され該バルブ孔中において回転動し、該連動棒一端は連接棒と接触制御組部品により連接され、これにより該接触制御組部品の作動時、該連接棒は該連動棒を連動し、これにより該連動棒は該バルブ球の回転動を連動し、こうしてバルブ球は開放し、水源管路の水流は給水ヘッドに至り、該連接棒の該接触制御組部品に反対端は被動棒により復位組部品を連接し、復位組部品の回復力を調整することにより該連接捧を調整し、該連動棒及び該接触制御組部品の元の位置回復の時間を調整し、該給水ヘッドの出水時間を制御することを特徴とする接触制御式給水装置。
【請求項２】
前記接触制御組部品は主に外部ペダル及び該ペダルと該連動棒の連結を構成する、引き動かし部品により組成することを特徴とする請求項1記載の接触制御式給水装置。
【請求項３】
前記接触制御組部品は主に外部接触部品及び該接触部品と該連動棒の連結を構成する、引き動かし部品により組成することを特徴とする請求項1記載の接触制御式給水装置。
【請求項４】
前記引き動かし部品はワイヤーを該回転軸カム上に嵌設したものであることを特徴とする請求項2或いは3記載の接触制御式給水装置。
【請求項５】
前記引き動かし部品はバネを該回転軸カム上に嵌設したものであることを特徴とする請求項2或いは3記載の接触制御式給水装置。
【請求項６】
前記引き動かし部品は高引力の弾性鋼片を該回転軸カム上に嵌設したものであることを特徴とする請求項2或いは3記載の接触制御式給水装置。
【請求項７】
前記復位組部品は油圧シリンダーであることを特徴とする請求項1記載の接触制御式給水装置。
【請求項８】
前記復位組部品はバネ組であることを特徴とする請求項1記載の接触制御式給水装置。
【考案の詳細な説明】
【技術分野】
【０００１】
本考案は一種の給水装置に関する。特に一種の手で接触する必要のない接触制御式の省エネ節水給水装置に係る。
【背景技術】
【０００２】
一般に水道の蛇口を用い、水を出す時、水源は直接水道の蛇口に水を供給する。この時、水道の蛇口の開閉状態の転換により、該水道の蛇口における水の流出状況を制御する(出水量、出水時間等)。このため水源の供給が正常な状況下では、一旦使用者が水道の蛇口を流通開放状態にすると、水は絶えることなく水道の蛇口から流出し、使用者は水を用いることができる。
しかし、一般の使用者は水の使用において良くない習慣があり、水道蛇口の開放時間が長過ぎ、水の浪費を招いて、道の蛇口をしっかりと閉めないため水の流失状況を引起しており、水資源の無駄となっている。
また水道の蛇口の流出状況を制御するためには、使用者は手で水道の蛇口を回す必要があるが、公共の場所では使用者が不特定多数になるため、もし該水道の蛇口をこまめに掃除しないなら、汚れがこびりつき易く、また細菌、ウィルス等の感染源となってしまう。
一方、市場には一種のバネ型止水バルブを設置した水道の蛇口が見られるが、該構造は身体(足或いは腕)押圧方式により水道の蛇口を開放し、一定の出水量及び出水時間を得るものである。しかしこの類の水道の蛇口の出水時間は極端に短く、使用者の必要とする水使用量を一度で満たすことはできず、しばしば再度押圧し水を出さなければならない現象が出現する。
これでは使用上非常に不便で面倒であり、しかもより多くの量の水を浪費してしまう。
【考案の開示】
【考案が解決しようとする課題】
【０００３】
本考案は上記構造の問題点を解決した接触制御式給水装置を提供するものである。
【課題を解決するための手段】
【０００４】
上記課題を解決するため、本考案は下記の接触制御式給水装置を提供する。それは主に制御バルブのバルブ孔中に該バルブ孔を開放或いは閉鎖可能なバルブ球を設置し、該バルブ球は連動棒により連動され該バルブ孔中において回転動し、該連動棒一端は連接捧と接触制御組部品により連接され、これにより該接触制御組部品の作動時、該連接棒は該連動棒を連動し、これにより該連動棒は該バルブ球の回転動を連動し、こうしてバルブ球は開放し、水源管路の水流は給水ヘッドに至り、該連接棒の該接触制御組部品に相対する反対端は被勤棒により復位組部品を連接し、該復位組部品の回復力を調整することにより、該復位組部品の起動作用力を比較的小さく、回復力を比較的大きく等の調整が可能で、使用者は力を入れる必要なく、該接触制御組部品に該連動棒を連動させることができ、該バルブ孔を開放し水は給水ヘッドより流出し、該復位組部品の回復力を比較的大きくするなら該バルブ孔の閉鎖までの時間を延長することができ、出水時間を延長し、しかも出水量を増加させることができることを特徴とする接触制御式給水装置である。
【考案の効果】
【０００５】
上記のように、本考案は設置場所或いは使用者の使用習慣の差異に応じて、該復位組部品を調整し、出水時間及び出水量を制御し、節水の効果を達成可能である。
【考案を実施するための最良の形態】
【０００６】
図1に示すように、本考案給水装置中には制御バルブ10を設置する。該制御バルブ10は中空管体で、一端には入水口A、反対端には出水口Bを設置し、これにより該制御バルブ10は水源管路20を給水ヘッド30まで接続することができる。また、該制御バルブ10中にはバルブ孔11を設置する。
さらに図2に示すように、該バルブ孔11中には該バルブ孔11を開放或いは閉鎖可能なバルブ球12を設置し、該バルブ球12は連動棒13により該バルブ孔11中における回転動を連動される。該連動棒13一端は連接棒14と接触制御組部品40により連接され、該接触制御組部品40は主に外部ペダル41及びペダル41と連動棒13の連結を構成する、引き動かし部品42により組成される。本実施例中では該引き動かし部品42はワイヤー、バネ或いは高引力の弾性鋼片を回転軸カム43上に嵌設し構成する。該連接棒14の該接触制御組部品40に相対する反対端は被動棒15により復位組部品50を接続する。本実施例中では該復位組部品は油圧シリンダー、或いは図4に示すバネ組である。
【０００７】
使用時には、手洗いを例とすると、使用者は該給水ヘッド30に触れる必要なく足でペダル41を踏むだけで、引き動かし部品42は該回転軸カム43により作動方向を変化させられ該連接棒14を引き動かす。該連接棒14は同時に該連動棒13と該被動棒15を連動し下方へと移動させ、該連動棒13は該バルブ球12の回転動を連動する。こうして該バルブ孔11は開放し、図3に示すように、水源管路の水は入水口Aから出水口Bに流れ、該給水ヘッドから一定量の水が流れ出る。
しかも該復位組部品(油圧シリンダー或いはバネ組等)の回復力を調整することにより、該復位組部品の起動作用力を比較的小さく、回復力を比較的大きく等の調整が可能で、使用者は力を入れる必要なく、該接触制御組部品に該連動棒を連動させることができ、該バルブ孔を開放し水は給水ヘッドより流出する。
【０００８】
また該復位組部品の回復力を比較的大きくするなら、該バルブ孔の閉鎖までの時間を延長することができ、出水時間を延長し、しかも出水量を増加させることができる。
或いは該復位組部品を調整し、バルブ孔閉鎖までの時問を短縮し、出水時間を短縮ししかも出水量を少なくすることができ、設置場所或いは使用者の使用習慣の差異に応じて、該復位組部品の起動作用力及び回復力の大きさを調整し、出水時間及び出水量を制御することができ、節水の機能を達成する。
【０００９】
さらに該接触制御組部品40はまた外部接触部品41'及び該接触部品41'と該連動捧13の連結を構成する引き動かし部品42により組成することもできる。図5に示すように、該連動棒13も同様に該連接棒14上に連接し、該連接棒14上の反対端は被動棒15を利用し復位組部品50を連接し、同様に給水機能を達成可能である。しかも障害者或いは体が不自由な人は腿或いは他の物を用い該接触部品41'に接触し、給水ヘッドから水を出すこともできる。
【図面の簡単な説明】
【００１０】
【図１】給水装置の全体指示図である。
【図２】制御バルブの構造指示図である。
【図３】バルブ球回転動の構造指示図である。
【図４】別種の復位組部品実施例の構造指示図である。
【図５】別種の接触制御組部品実施例の構造指示図である。
【符号の説明】
【００１１】
A  入水口
B  出水口
10  制御バルブ
11  バルブ孔
12  バルブ球
13  連動棒
14  連接棒
15  被動棒
20  水源管路
30  給水ヘッド
40  接触制御組部品
41  ペダル
41'  接触部品
42  引き動かし部品
43  回転軸カム
50  復位組部品
【図１】
0003123669.tif 000003
【図２】
0003123669.tif 000004
【図３】
0003123669.tif 000005
【図４】
0003123669.tif 000006
【図５】
0003123669.tif 000007